(57)【要約】本発明は、湿度の調節と暖房と空気清浄および換気が簡単な構造によって具現され得る空気調和機を提供することにその目的がある。これを実現するための本発明の空気調和機は、両端が室内と連結された第１空気流路、両端が室外と連結された第２空気流路、前記第１空気流路上に備えられた第１領域と、前記第２空気流路上に備えられた第２領域と、回転によって前記第１領域と第２領域を交互に通過する吸着材からなるロータ部材、前記第１空気流路と第２空気流路が交差する地点に備えられ、前記第１空気流路と第２空気流路の流路方向を転換させる流路転換部、前記ロータ部材の回転と前記流路転換部の流路方向転換を制御する制御部を含む。【選択図】図１
2019508656.tif 000002
【特許請求の範囲】
【請求項１】
両端が室内と連結された第１空気流路（１１０）、
両端が室外と連結された第２空気流路（２１０）、
前記第１空気流路（１１０）上に備えられた第１領域（３１０）と、前記第２空気流路（２１０）上に備えられた第２領域（３２０）と、回転によって前記第１領域（３１０）と第２領域（３２０）を交互に通過する吸着材からなるロータ部材（３００）、
前記第１空気流路（１１０）と第２空気流路（２１０）が交差する地点に備えられ、前記第１空気流路（１１０）と第２空気流路（２１０）の流路方向を転換させる流路転換部（４００、６００）、
前記ロータ部材（３００）の回転と前記流路転換部（４００、６００）の流路方向転換を制御する制御部、を含む、
空気調和機。
【請求項２】
前記流路転換部（４００）は、室内空気が流入する第１流入口（４１０）、室外空気が流入する第２流入口（４２０）、前記第１領域（３１０）と連結される第１排出口（４３０）、前記第２領域（３２０）と連結される第２排出口（４４０）、前記第１流入口（４１０）を第１排出口（４３０）または第２排出口（４４０）に連結させ、前記第２流入口（４２０）を第１排出口（４３０）または第２排出口（４４０）に連結させるように連結方向転換が行われる方向転換ゲート（４５０）で構成されたことを特徴とする、請求項１に記載の空気調和機。
【請求項３】
前記第１空気流路（１１０）上には、前記流路転換部（４００）と第１領域（３１０）との間に前記第１領域（３１０）に向かって流動する空気を濾過するための少なくとも一つのフィルタ（１３０、１４０）が備えられたことを特徴とする、請求項１に記載の空気調和機。
【請求項４】
前記第１空気流路（１１０）上には、室内を暖房したり室内を加湿する場合、前記第１領域（３１０）に向かって流動する空気を加熱するための第１熱供給部（１５０）が備えられたことを特徴とする、請求項１に記載の空気調和機。
【請求項５】
前記第２空気流路（２１０）の入口部（２１０ａ）と前記流路転換部（４００）との間には、前記流路転換部（４００）に向かって流動する室外空気を濾過するための少なくとも一つのフィルタ（２２０、２３０）が備えられたことを特徴とする、請求項１に記載の空気調和機。
【請求項６】
前記第２空気流路（２１０）上には、室内空気を除湿する場合、前記第２領域（３２０）に向かって流動する空気を加熱するための第２熱供給部（２５０）が備えられたことを特徴とする、請求項１に記載の空気調和機。
【請求項７】
前記吸着材に水分を供給するための水分供給部（５００）が備えられ、前記吸着材が回転して前記第１領域（３１０）に位置すると、前記第１空気流路（１１０）を流動する空気によって前記水分が蒸発して前記室内に流入することを特徴とする、請求項１に記載の空気調和機。
【請求項８】
前記ロータ部材（３００）には、前記第１領域（３１０）および第２領域（３２０）と分離された第３領域（３３０）が形成され、前記水分供給部（５００）は前記第３領域（３３０）の吸着材に水分を供給することを特徴とする、請求項７に記載の空気調和機。
【請求項９】
前記水分供給部（５００）は、加湿空気流路（５４０）上に備えられて水分を含有する加湿フィルタ（５２０）、前記加湿空気流路（５４０）上に備えられて加湿フィルタ（５２０）を通過した加湿空気を流動させるための第３送風機（５１０）、からなることを特徴とする、請求項７に記載の空気調和機。
【請求項１０】
前記加湿フィルタ（５２０）の一部を浸漬させるための水が貯蔵される水槽（５３０）が備えられ、前記水槽（５３０）に水を供給するための給水バルブ（５５０）と前記水槽（５３０）の水を排水するための排水バルブ（５６０）が備えられたことを特徴とする、請求項９に記載の空気調和機。
【請求項１１】
前記加湿空気流路（５４０）は閉流路で構成されたことを特徴とする、請求項９に記載の空気調和機。
【請求項１２】
前記第１領域（３１０）に向かって流動する空気を加熱するための第１熱供給部（１５０）と前記第２領域（３２０）に向かって流動する空気を加熱するための第２熱供給部（２５０）が備えられ、前記第１熱供給部（１５０）と第２熱供給部（２５０）には温水が供給されて前記空気を加熱し、前記温水の供給を調節するための温水供給バルブ（１５１、２５１）が備えられたことを特徴とする、請求項１に記載の空気調和機。
【請求項１３】
前記流路転換部（６００）は、換気モード時に室内空気と室外空気間に全熱交換がなされるようにする全熱交換器（６６０）を含むことを特徴とする、請求項１に記載の空気調和機。
【請求項１４】
前記流路転換部（６００）は、前記第１空気流路（１１０）の入口側（１１０ａ）に連結される第１空間部（６０１）、前記第１空気流路（１１０）を通じて前記第１領域（３１０）に連結される第３空間部（６０３）、前記第２空気流路（２１０）の入口側（２１０ａ）に連結される第２空間部（６０２）、前記第２空気流路（２１０）を通じて前記第２領域（３２０）に連結される第４空間部（６０４）を含み、前記全熱交換器（６６０）は、前記第１空間部（６０１）に流入した室内空気が第４空間部（６０４）に流動し、前記第２空間部（６０２）に流入した室外空気が第３空間部（６０３）に流動する場合、熱交換が行われることを特徴とする、請求項１３に記載の空気調和機。
【請求項１５】
前記第１〜第４空間部（６０１、６０２、６０３、６０４）の一側を閉鎖するカバープレート（６５０）には、前記第１空間部（６０１）と第１空気流路（１１０）を連通させる第１連結孔（６１１）、前記第３空間部（６０３）と第１空気流路（１１０）を連通させる第３連結孔（６１３）、前記第２空間部（６０２）と第２空気流路（２１０）を連通させる第２連通孔（６１２）、前記第４空間部（６０４）と第２空気流路（２１０）を連通させる第４連通孔（６１４）が形成され、前記第１空間部（６０１）が前記第１連結孔（６１１）を通じて前記第１空気流路（１１０）に連通するようにするか、前記全熱交換器（６６０）を通じて前記第４空間部（６０４）に連通するように開閉方向が設定される少なくとも一つのダンパー（６７１）と、前記第２空間部（６０２）が前記第２連結孔（６１２）を通じて前記第２空気流路（１１０）に連通するようにするか、前記全熱交換器（６６０）を通じて前記第３空間部（４０３）に連通するように開閉方向が設定される少なくとも一つのダンパー（６７２）が備えられたことを特徴とする、請求項１４に記載の空気調和機。
【請求項１６】
前記第１空気流路（１１０）を通じて室内に排出される空気に水分を供給するための水分供給部（５００−１）が備えられたことを特徴とする、請求項１に記載の空気調和機。
【請求項１７】
前記水分供給部（５００−１）は、前記第１空気流路（１１０）を通過する空気に水分を供給する加湿フィルタ（５２０−１）と、前記加湿フィルタ（５２０−１）に水分が吸着するように水分を供給する水分供給手段で構成されたことを特徴とする、請求項１６に記載の空気調和機。
【請求項１８】
両端が室内と連結された第１空気流路（１１０）、両端が室外と連結された第２空気流路（２１０）、前記第１空気流路（１１０）上に備えられた第１領域（３１０）と前記第２空気流路（２１０）上に備えられた第２領域（３２０）と回転によって前記第１領域（３１０）と第２領域（３２０）を交互に通過する吸着材からなるロータ部材（３００）を含む空気調和機の制御方法であって、
ａ）前記第１空気流路（１１０）と第２空気流路（２１０）が交差する地点に備えられた流路転換部（４００）により前記第１空気流路（１１０）の入口部（１１０ａ）と第１領域（３１０）が連結され、前記第２空気流路（２１０）の入口部（２１０ａ）と第２領域（３２０）が連結される段階、
ｂ）前記第１空気流路（１１０）の入口部（１１０ａ）を通じて流入した室内空気が前記第１領域（３１０）を経て室内に流動するようにする第１モードが稼動される段階、
ｃ）前記第１空気流路（１１０）の入口部（１１０ａ）と第２領域（３２０）が連結され、前記第２空気流路（２１０）の入口部（２１０ａ）と第１領域（３１０）が連結されるように前記流路転換部（４００、６００）により流路方向が転換される段階、
ｄ）前記第１空気流路（１１０）の入口部（１１０ａ）を通じて流入した室内空気が前記第２領域（３２０）を経て室外に流動するようにすると共に前記第２空気流路（２１０）の入口部（２１０ａ）を通じて流入した室外空気が前記第１領域（３１０）を経て室内に流動するようにする第２モードが稼動される段階、からなる、
空気調和機の制御方法。
【請求項１９】
前記ｂ）段階の第１モードは、前記第１空気流路（１１０）上に備えられた第１熱供給部（１５０）を稼動して前記第１領域（３１０）に向かって流動する空気を加熱し、前記第１領域（３１０）を除いた吸着材の他の領域で水分供給部（５００）から水分の供給を受け、前記ロータ部材（３００）を回転させて前記第１領域（３１０）で前記吸着材に含まれた水分を蒸発させて室内を加湿する加湿モードであることを特徴とする、請求項１８に記載の空気調和機の制御方法。
【請求項２０】
前記ｂ）段階の第１モードは、前記第１空気流路（１１０）上に備えられた第１熱供給部（１５０）を稼動して前記第１領域（３１０）に向かって流動する空気を加熱する暖房モードであることを特徴とする、請求項１８に記載の空気調和機の制御方法。
【請求項２１】
前記ｂ）段階の第１モードは、前記第１領域（３１０）に向かって流動する空気が前記第１空気流路（１１０）上に備えられた少なくとも一つのフィルタ１２０、（１３０、１４０）を通過することによって濾過される空気清浄モードであることを特徴とする、請求項１８に記載の空気調和機の制御方法。
【請求項２２】
前記ｂ）段階の第１モードは、前記第１領域（３１０）を通過する室内空気から水分を吸収した吸着材は回転して前記第２領域（３２０）に位置し、前記第２空気流路（２１０）の入口部（２１０ａ）を通じて流入した室外空気は前記第２空気流路（２１０）上に備えられた第２熱供給部（２５０）により加熱された後、前記第２領域（３２０）の吸着材を乾燥させてから室外に排出される除湿モードであることを特徴とする、請求項１８に記載の空気調和機の制御方法。
【請求項２３】
前記ｄ）段階で前記ロータ部材（３００）は、回転することによって前記第１領域（３１０）を通過する室外空気と前記第２領域（３２０）を通過する室内空気間に熱交換が行われることを特徴とする、請求項１８に記載の空気調和機の制御方法。
【請求項２４】
前記水分供給部（５００）は、閉流路である加湿空気流路（５４０）上に備えられて水分を含有する加湿フィルタ（５２０）と、前記加湿空気流路（５４０）上に備えられて加湿フィルタ（５２０）を通過した加湿空気を流動させるための第３送風機（５１０）を含み、前記加湿モード終了後に前記第３送風機（５１０）を稼動させて前記加湿空気流路（５４０）を乾燥させることを特徴とする、請求項１９に記載の空気調和機の制御方法。
【発明の詳細な説明】
【技術分野】
【０００１】
本発明は空気調和機とその制御方法に関するものであって、より詳細には湿度の調節モードと空気清浄モードおよび換気モード運転が可能な空気調和機とその制御方法に関するものである。
【背景技術】
【０００２】
一般に空気調和機は、使用者の要求により室内の温度と湿度を調節したり室内空気を換気させて室内を快適に維持する装置である。
【０００３】
最近では空気調和機に除湿、加湿、空気浄化、換気などの多様な機能を付加させることによって、使用者の選択により季節の変化に合わせて室内空気を快適に維持できるようにする技術が開発されている。
【０００４】
このような空気調和機は、室内空気の湿度を増加させる加湿器と室内空気の湿度を減少させる除湿機がある。また、室内空気を換気させる機能は換気装置として別途の装置で具現された。
【０００５】
したがって、加湿と除湿と空気浄化および換気機能を一つの装置で実現するためには構造が複雑となるため、実用化が困難な問題点があった。
【０００６】
このような問題点を解決するための従来技術として、大韓民国公開特許２００１−０１１１６０１「室内除湿システムと室内加湿システムを有する空気調和システムおよびその運転制御方法」が公開されている。
【０００７】
しかし、前記従来技術は室外に空気を吐出する吐出口１４を２個、室内に空気を吐出する吐出口１３ａ、１３ｂを２個具備しなければならず、吐出口の個数が多いためこれに連結される配管構造が複雑となる問題点がある。また、２個の吐出口１３ａ、１３ｂはそれぞれ別途の開閉板を駆動させるようになっているため構成が複雑な問題点がある。
【発明の概要】
【発明が解決しようとする課題】
【０００８】
本発明は前述した諸般の問題点を解決するために案出されたものであって、湿度の調節と暖房と空気清浄および換気が簡単な構造によって具現され得る空気調和機を提供することにその目的がある。
【課題を解決するための手段】
【０００９】
前述した目的を達成するための本発明の空気調和機は、両端が室内と連結された第１空気流路１１０、両端が室外と連結された第２空気流路２１０、前記第１空気流路１１０上に備えられた第１領域３１０と、前記第２空気流路２１０上に備えられた第２領域３２０と、回転によって前記第１領域３１０と第２領域３２０を交互に通過する吸着材からなるロータ部材３００、前記第１空気流路１１０と第２空気流路２１０が交差する地点に備えられ、前記第１空気流路１１０と第２空気流路２１０の流路方向を転換させる流路転換部４００、６００、前記ロータ部材３００の回転と前記流路転換部４００、６００の流路方向転換を制御する制御部を含む。
【００１０】
前記流路転換部４００は、室内空気が流入する第１流入口４１０、室外空気が流入する第２流入口４２０、前記第１領域３１０と連結される第１排出口４３０、前記第２領域３２０と連結される第２排出口４４０、前記第１流入口４１０を第１排出口４３０または第２排出口４４０に連結させ、前記第２流入口４２０を第１排出口４３０または第２排出口４４０に連結させるように連結方向転換が行われる方向転換ゲート４５０で構成され得る。
【００１１】
前記第１空気流路１１０上には前記流路転換部４００と第１領域３１０との間に前記第１領域３１０に向かって流動する空気を濾過するための少なくとも一つのフィルタ１３０、１４０が備えられ得る。
【００１２】
前記第１空気流路１１０上には室内を暖房したり室内を加湿する場合、前記第１領域３１０に向かって流動する空気を加熱するための第１熱供給部１５０が備えられ得る。
【００１３】
前記第２空気流路２１０の入口部２１０ａと前記流路転換部４００との間には、前記流路転換部４００に向かって流動する室外空気を濾過するための少なくとも一つのフィルタ２２０、２３０が備えられ得る。
【００１４】
前記第２空気流路２１０上には室内空気を除湿する場合、前記第２領域３２０に向かって流動する空気を加熱するための第２熱供給部２５０が備えられ得る。
【００１５】
前記吸着材に水分を供給するための水分供給部５００が備えられ、前記吸着材が回転して前記第１領域３１０に位置すると、前記第１空気流路１１０を流動する空気によって前記水分が蒸発して前記室内に流入するものであり得る。
【００１６】
前記ロータ部材３００には、前記第１領域３１０および第２領域３２０と分離された第３領域３３０が形成され、前記水分供給部５００は前記第３領域３３０の吸着材に水分を供給するものであり得る。
【００１７】
前記水分供給部５００は、加湿空気流路５４０上に備えられて水分を含有する加湿フィルタ５２０、前記加湿空気流路５４０上に備えられて加湿フィルタ５２０を通過した加湿空気を流動させるための第３送風機５１０から構成され得る。
【００１８】
前記加湿フィルタ５２０の一部を浸漬させるための水が貯蔵される水槽５３０が備えられ、前記水槽５３０に水を供給するための給水バルブ５５０と前記水槽５３０の水を排水するための排水バルブ５６０が備えられ得る。
【００１９】
前記加湿空気流路５４０は閉流路で構成され得る。
【００２０】
前記第１領域３１０に向かって流動する空気を加熱するための第１熱供給部１５０と前記第２領域３２０に向かって流動する空気を加熱するための第２熱供給部２５０が備えられ、前記第１熱供給部１５０と第２熱供給部２５０には温水が供給されて前記空気を加熱し、前記温水の供給を調節するための温水供給バルブ１５１、２５１が備えられ得る。
【００２１】
前記流路転換部６００は換気モード時に室内空気と室外空気間に全熱交換がなされるようにする全熱交換器６６０を含むものであり得る。
【００２２】
前記流路転換部６００は、前記第１空気流路１１０の入口側１１０ａに連結される第１空間部６０１、前記第１空気流路１１０を通じて前記第１領域３１０に連結される第３空間部６０３、前記第２空気流路２１０の入口側２１０ａに連結される第２空間部６０２、前記第２空気流路２１０を通じて前記第２領域３２０に連結される第４空間部６０４を含み、前記全熱交換器６６０は前記第１空間部６０１に流入した室内空気が第４空間部６０４に流動し、前記第２空間部６０２に流入した室外空気が第３空間部６０３に流動する場合、熱交換が行われるものであり得る。
【００２３】
前記第１〜第４空間部６０１、６０２、６０３、６０４の一側を閉鎖するカバープレート６５０には、前記第１空間部６０１と第１空気流路１１０を連通させる第１連結孔６１１、前記第３空間部６０３と第１空気流路１１０を連通させる第３連結孔６１３、前記第２空間部６０２と第２空気流路２１０を連通させる第２連通孔６１２、前記第４空間部６０４と第２空気流路２１０を連通させる第４連通孔６１４が形成され、前記第１空間部６０１が前記第１連結孔６１１を通じて前記第１空気流路１１０に連通するようにするか前記全熱交換器６６０を通じて前記第４空間部６０４に連通するように開閉方向が設定される少なくとも一つのダンパー６７１と、前記第２空間部６０２が前記第２連結孔６１２を通じて前記第２空気流路１１０に連通するようにするか前記全熱交換器６６０を通じて前記第３空間部４０３に連通するように開閉方向が設定される少なくとも一つのダンパー６７２が備えられたものであり得る。
【００２４】
前記第１空気流路１１０を通じて室内に排出される空気に水分を供給するための水分供給部５００−１が備えられたものであり得る。
【００２５】
前記水分供給部５００−１は、前記第１空気流路１１０を通過する空気に水分を供給する加湿フィルタ５２０−１と、前記加湿フィルタ５２０−１に水分が吸着するように水分を供給する水分供給手段で構成されたものであり得る。
【００２６】
本発明による空気調和機の制御方法は、両端が室内と連結された第１空気流路１１０、両端が室外と連結された第２空気流路２１０、前記第１空気流路１１０上に備えられた第１領域３１０と前記第２空気流路２１０上に備えられた第２領域３２０と回転によって前記第１領域３１０と第２領域３２０を交互に通過する吸着材からなるロータ部材３００を含む空気調和機の制御方法であって、ａ）前記第１空気流路１１０と第２空気流路２１０が交差する地点に備えられた流路転換部４００により前記第１空気流路１１０の入口部１１０ａと第１領域３１０が連結され、前記第２空気流路２１０の入口部２１０ａと第２領域３２０が連結される段階、ｂ）前記第１空気流路１１０の入口部１１０ａを通じて流入した室内空気が前記第１領域３１０を経て室内に流動するようにする第１モードが稼動される段階、ｃ）前記第１空気流路１１０の入口部１１０ａと第２領域３２０が連結され、前記第２空気流路２１０の入口部２１０ａと第１領域３１０が連結されるように前記流路転換部４００、６００により流路方向が転換される段階、ｄ）前記第１空気流路１１０の入口部１１０ａを通じて流入した室内空気が前記第２領域３２０を経て室外に流動するようにすると共に前記第２空気流路２１０の入口部２１０ａを通じて流入した室外空気が前記第１領域３１０を経て室内に流動するようにする第２モードが稼動される段階を含む。
【００２７】
前記ｂ）段階の第１モードは、前記第１空気流路１１０上に備えられた第１熱供給部１５０を稼動して前記第１領域３１０に向かって流動する空気を加熱し、前記第１領域３１０を除いた吸着材の他の領域で水分供給部５００から水分の供給を受け、前記ロータ部材３００を回転させて前記第１領域３１０で前記吸着材に含まれた水分を蒸発させて室内を加湿する加湿モードであり得る。
【００２８】
前記ｂ）段階の第１モードは、前記第１空気流路１１０上に備えられた第１熱供給部１５０を稼動して前記第１領域３１０に向かって流動する空気を加熱する暖房モードであり得る。
【００２９】
前記ｂ）段階の第１モードは、前記第１領域３１０に向かって流動する空気が前記第１空気流路１１０上に備えられた少なくとも一つのフィルタ１２０、１３０、１４０を通過することによって濾過される空気清浄モードであり得る。
【００３０】
前記ｂ）段階の第１モードは、前記第１領域３１０を通過する室内空気から水分を吸収した吸着材は回転して前記第２領域３２０に位置し、前記第２空気流路２１０の入口部２１０ａを通じて流入した室外空気は前記第２空気流路２１０上に備えられた第２熱供給部２５０により加熱された後、前記第２領域３２０の吸着材を乾燥させてから室外に排出される除湿モードであり得る。
【００３１】
前記ｄ）段階で前記ロータ部材３００は、回転することによって前記第１領域３１０を通過する室外空気と前記第２領域３２０を通過する室内空気間に熱交換が行われるものであり得る。
【００３２】
前記水分供給部５００は、閉流路である加湿空気流路５４０上に備えられて水分を含有する加湿フィルタ５２０と、前記加湿空気流路５４０上に備えられて加湿フィルタ５２０を通過した加湿空気を流動させるための第３送風機５１０を含み、前記加湿モード終了後に前記第３送風機５１０を稼動させて前記加湿空気流路５４０を乾燥させるものであり得る。
【発明の効果】
【００３３】
本発明によると、第１空気流路と第２空気流路が交差する地点に流路転換部を具備することによって、簡単な構造によって湿度の調節と暖房と空気清浄および換気モードを一つの装置で実現することができる。
【００３４】
また、第１空気流路と第２空気流路にそれぞれ熱供給部を具備し、２個の熱供給部を交互に動作させることによって室内温度および湿度の調節が容易である。
【００３５】
また、水分供給部から水分をロータ部材に供給することによって室内湿度の調節能力を向上させることができる。
【００３６】
また、第１空気流路の出口部上に水分供給部を設置して簡単な構成で室内に水分を供給することができる。
【００３７】
また、ロータ部材を３個の領域に分離し、水分供給部から水分が供給される第３領域を第１領域および第２領域と分離することによって、湿気が供給される吸着材の部分に異物が吸着することを防止して細菌の繁殖を防止することができる。
【００３８】
また、換気モード時、室外空気は第１空気流路と第２空気流路に備えられたフィルタで濾過された後に室内に流入するため、きれいな空気を室内に供給することができる。
【図面の簡単な説明】
【００３９】
【図１】本発明による空気調和機の構成を示す図面。
【図２】本発明による空気調和機で加湿モード時の動作状態を示す図面。
【図３】本発明による空気調和機で暖房モード時の動作状態を示す図面。
【図４】本発明による空気調和機で空気清浄モード時の動作状態を示す図面。
【図５】本発明による空気調和機で除湿モード時の動作状態を示す図面。
【図６】本発明による空気調和機で換気モード時の動作状態を示す図面。
【図７】（ａ）は本発明の他の実施例による流路転換部で換気モード時の動作状態を示す平面図、（ｂ）はＡ−Ａ断面図、（ｃ）はＢ−Ｂ断面図。
【図８】（ａ）は図７の流路転換部で流路転換が行われて換気モードを除いた残りのモードでの動作状態を示す平面図、（ｂ）はＣ−Ｃ断面図、（ｃ）はＤ−Ｄ断面図。
【図９】水分供給部が第１空気流路に配置された実施例を示す図面。
【発明を実施するための形態】
【００４０】
以下、添付した図面を参照して本発明の好ましい実施例についての構成および作用を詳細に説明する。
【００４１】
図１は、本発明による空気調和機の構成を示す図面である。
【００４２】
本発明の空気調和機は、両端が室内と連結された第１空気流路（１１０；１１０ａ、１１０ｂ、１１０ｃ）、両端が室外と連結された第２空気流路（２１０；２１０ａ、２０１ｂ、２０１ｃ）、前記第１空気流路１１０上に備えられた第１領域３１０と前記第２空気流路２１０上に備えられた第２領域３２０と回転によって前記第１領域３１０と第２領域３２０を交互に通過する吸着材からなるロータ部材３００、前記第１空気流路１１０と第２空気流路２１０が交差する地点に備えられて前記第１空気流路１１０と第２空気流路２１０の流路方向を転換させる流路転換部４００、前記流路転換部４００の流路方向転換を制御する制御部を含んで構成される。
【００４３】
前記第１空気流路１１０は、一側の室内空気が流入する入口部１１０ａと、前記ロータ部材３００の第１領域３１０を通過する中間部１１０ｂと、前記流入した室内空気を再び室内の他側に吐出するための出口部１１０ｃで構成される。前記第１空気流路１１０は空気が流動する経路を示すものであって、空気が流動する配管だけでなく空気が流動する空間だけで構成されてもよく、前記第２空気流路２１０も同様である。
【００４４】
前記第１空気流路１１０には、複数のフィルタ１２０、１３０、１４０、第１熱供給部１５０、第１送風機１６０が順次備えられる。
【００４５】
前記複数のフィルタ１２０、１３０、１４０は、フリーフィルタ１２０と、機能性フィルタ１３０、ＨＥＰＡフィルタ１４０で構成され得る。
【００４６】
前記フリーフィルタ１２０は、第１空気流路１１０の入口部１１０ａに備えられて室内空気に含まれた比較的大きい粒子の異物を濾過する。前記機能性フィルタ１３０は、坑菌、抗ウイルス、アレルギーなどの有害要素を除去するためのフィルタである。前記ＨＥＰＡフィルタ１４０は空気中の微粒子を濾過するための高性能フィルタである。
【００４７】
前記第１熱供給部１５０は室内を暖房したり加湿する場合、オン（Ｏｎ）となって第１空気流路１１０を流動する空気を加熱し、加熱された空気がロータ部材３００の第１領域３１０に供給されるようにする。
【００４８】
前記第１熱供給部１５０はその内部に温水が流動するように構成され得る。この場合、内部の温水と室内空気との間に熱交換が行われて室内空気が加熱される。温水供給源（図示されず）から供給される前記温水の供給を調節するために温水供給バルブ１５１が備えられる。温水供給源から供給された温水は温水供給管１５２と温水供給バルブ１５１を通じて第１熱供給部１５０に供給され、第１熱供給部１５０で熱交換が行われた温水は温度が下がった後に温水環水管１５３に流動する。
【００４９】
本実施例では前記第１熱供給部１５０を温水によって空気を加熱するように構成したが、温水以外にも電気ヒーター、ヒートポンプなど、多様な方式で変形実施が可能であり、後述する第２熱供給部２５０も同様である。
【００５０】
前記第１送風機１６０は室内空気または室外空気を第１空気流路１１０に吸入するための吸入力を提供するものであって、第１空気流路１１０の出口部１１０ｃ側に備えられている。
【００５１】
前記第２空気流路２１０は、一側の室外空気が流入する入口部２１０ａと、前記ロータ部材３００の第２領域３２０を通過する中間部２１０ｂと、前記流入した室外空気を再び室外の他側に吐出するための出口部２１０ｃで構成される。
【００５２】
前記第２空気流路２１０には、複数のフィルタ２２０、２３０、第２熱供給部２５０、第２送風機２６０が順次備えられる。
【００５３】
前記複数のフィルタ２２０、２３０は、フリーフィルタ２２０と、ミディアムフィルタ２３０で構成され得る。
【００５４】
前記ミディアムフィルタ２３０は、フリーフィルタ２２０よりは小さい粒子を濾過し、ＨＥＰＡフィルタ１４０よりは大きい粒子を濾過できるフィルタである。
【００５５】
前記第２熱供給部２５０は第１熱供給部１５０と同様にその内部に温水が流動するように構成され得る。この場合、内部の温水と室外空気との間に熱交換が行われて室外空気が加熱される。この場合、温水供給源（図示されず）から前記温水の供給を調節するために温水供給バルブ２５１が備えられる。
温水供給源から供給された温水は温水供給管１５２と温水供給バルブ２５１を通じて第２熱供給部２５０に供給され、第２熱供給部２５０で熱交換が行われた温水は温度が下がった後に温水環水管１５３に流動する。
【００５６】
前記第２送風機２６０は室外空気または室内空気を第２空気流路２１０に吸入するための吸入力を提供するものであって、第２空気流路２１０の出口部２１０ｃ側に備えられている。
【００５７】
前記ロータ部材３００にはその内部に空気の水分を吸着するための吸着材が備えられる。前記第１領域３１０は第１空気流路１１０に連結される領域であり、第２領域３２０は第２空気流路２１０に連結された領域である。
【００５８】
一方、前記第１領域３１０と第２領域３２０との間には水分供給部５００により水分が供給される第３領域３３０が形成され得る。前記第２領域３２０には室外空気が通過しながら異物が吸着され得る。このように異物が吸着された第２領域３２０に水分を供給するとかびが発生し得るため清潔な状態に維持することが難しくなる。
【００５９】
したがって、本実施例では水分供給部５００から供給される水分が第１領域３１０および第２領域３２０と独立した第３領域３３０に供給されるように構成した。
【００６０】
ただし、第３領域３３０を独立して形成せず、第３領域３３０を第２領域３２０と一つの領域にして構成することも可能である。この場合、水分供給部５００から供給される水分は第２領域３２０に供給されるように構成することができる。
【００６１】
除湿モード時に第１領域３１０に位置した吸着材は、第１空気流路１１０を流動する室内空気に含まれた水分を吸着し、水分を吸着した吸着材が回転して第２領域３２０に位置すると、第２空気流路２１０を流動する空気に水分を放出させることによって室内空気を除湿する。
これとは反対に加湿モード時に第３領域３３０に位置した吸着材は加湿空気流路５４０を流動する空気から水分を吸着し、水分を吸着した吸着材が回転して第１領域３１０に位置すると、第１空気流路１１０を流動する空気に水分を放出させることによって室内空気を加湿する。
【００６２】
前記第１領域３１０と第２領域３２０および第３領域３３０は互いに分離されており、前記ロータ部材３００の吸着材は中央に備えられた軸を中心に駆動部（図示されず）により回転する。
【００６３】
前記流路転換部４００は、室内空気が流入する第１流入口４１０、室外空気が流入する第２流入口４２０、前記第１領域３１０と連結される第１排出口４３０、前記第２領域３２０と連結される第２排出口４４０、前記第１流入口４１０を第１排出口４３０または第２排出口４４０に連結させ、前記第２流入口４２０を第１排出口４３０または第２排出口４４０に連結させるように連結方向転換が行われる方向転換ゲート４５０で構成される。
【００６４】
前記方向転換ゲート４５０は、第１流入口４１０と第２流入口４２０と第１排出口４３０と第２排出口４４０が交差する中央部に位置する。前記方向転換ゲート４５０が第１位置に位置すると、第１流入口４１０と第１排出口４３０が連結され、第２流入口４２０と第２排出口４４０が連結される。
前記第１位置で駆動部（図示されず）により方向転換ゲート４５０が９０度回転して第２位置になると、第１流入口４１０は第２排出口４４０に連結され、第２流入口４２０は第１排出口４３０に連結される。
【００６５】
前記水分供給部５００は、加湿空気流路５４０上に備えられて加湿空気を流動させるための第３送風機５１０、前記第３送風機５１０により供給される空気が通過する時に水分を供給するための加湿フィルタ５２０、前記加湿フィルタ５２０の下端の一部を浸漬させるための水が貯蔵される水槽５３０、前記水槽５３０に水を供給するための給水バルブ５５０、前記水槽５３０の水を排水するための排水バルブ５６０で構成される。
【００６６】
前記水槽５３０の内部には水が所定の水位に満たされており、前記加湿フィルタ５２０は前記水に下端の一部が浸漬されるように備えられている。前記加湿フィルタ５２０は駆動部（図示されず）により回転するように構成することができる。
【００６７】
前記加湿フィルタ５２０を空気が通過すると、加湿フィルタ５２０に吸着された水分が蒸発して湿った空気となって加湿空気流路５４０に沿って第３領域３３０に流動する。前記第３領域３３０の吸着材に水分が吸着された後、乾燥した空気は再び第３送風機５１０により加湿フィルタ５２０に流動する。このように加湿空気流路５４０は閉流路で構成され得る。
【００６８】
前記給水バルブ５５０が備えられた給水管５７０は水道水が供給されるように連結され得る。前記排水バルブ５６０が備えられた排水管５８０は空気調和機の外部に連結されて水槽５３０の水を外部に排水可能に構成されている。
【００６９】
このように水分供給部５００を具備すると、加湿量の調節が可能であり、加湿能力を向上させることができるため、快適な室内環境を作ることができる。
【００７０】
本実施例では、加湿フィルタ５２０が水に一部が浸漬されるものを例示したが、加湿フィルタ５２０に水を噴射するための噴射手段を具備し、前記噴射手段から噴射した水が加湿フィルタ５２０を濡らすように構成することもできる。この場合、給水管５７０の端部には噴射手段としてノズルが備えられ得る。
【００７１】
前記加湿空気流路５４０の内部に細菌が増殖する場合、これを除去するために紫外線を照射する紫外線殺菌ランプを具備することによって加湿空気流路５４０を衛生的に維持することができる。
【００７２】
以下、図２〜図６を参照して本発明による空気調和機の制御方法について説明する。方向転換ゲート４５０の位置が第１位置である加湿モードと暖房モードと空気清浄モードと除湿モードを第１モードとし、方向転換ゲート４５０の位置が第２位置である換気モードを第２モードとする。
【００７３】
図２を参照して加湿モードについて説明する。
【００７４】
加湿モードが稼動されると、水分の供給のために給水バルブ５５０が開放されて水槽５３０には水が満たされ、第３送風機５１０がオン（Ｏｎ）となって加湿空気流路５４０を循環する空気は加湿フィルタ５２０を経ながら湿った空気となってロータ部材３００の第３領域３３０に流動する。前記第３領域３３０で吸着された水分はロータ部材３００の回転によって第１領域３１０に位置する。
【００７５】
この場合、流路転換部４００は、第１流入口４１０と第１排出口４３０が連結され、第２流入口４２０と第２排出口４４０が連結されるように、方向転換ゲート４５０は第１位置に設定される。
【００７６】
これと同時に第１熱供給部１５０と第１送風機１６０がオン（Ｏｎ）になる。前記第１空気流路１１０の入口部１１０ａを通じて流入した室内空気は、フリーフィルタ１２０、流路転換部４００の第１流入口４１０と第１排出口４３０、機能性フィルタ１３０、ＨＥＰＡフィルタ１４０を順次経た後、第１熱供給部１５０を通過する。
【００７７】
前記第１熱供給部１５０を通過しながら加熱された室内空気は、ロータ部材３００の第１領域３１０を通過する。この場合、第１領域３１０には第３領域３３０で水分を吸着した吸着材が回転して位置しているため、前記加熱された室内空気が第１領域３１０を通過しながら吸着材の水分を蒸発させて湿った室内空気を形成させる。前記第１領域３１０を通過した室内空気は第１空気流路１１０の出口部１１０ｃを経て室内に排出される。
【００７８】
この場合、第１熱供給部１５０で加熱のために温水供給バルブ１５１が開放され、温水供給管１５２と温水供給バルブ１５１を通じて供給された温水は第１熱供給部１５０で第１空気流路１１０を流動する室内空気と熱交換が行われる。
【００７９】
一方、前記第１熱供給部１５０での加熱によって室内空気は温度が上がってから室内に排出されるため、室内暖房の効果もある。
【００８０】
前記のような過程によって加湿運転が行われ、加湿運転終了後運転停止時または一定時間加湿終了後には排水バルブ５６０を開放させて水槽５３０の残余水を排水管５８０を通じて排水することによって、濃度が高くなった水によって加湿フィルタ５２０にスケールが積もることを防止することができる。
【００８１】
また、加湿運転終了後に水槽５３０の残余水を排水した後、第３送風機５１０を設定された時間の間作動させることによって、水槽５３０および加湿空気流路５４０の内部を乾燥させる。このような過程を通じて閉流路である加湿空気流路５４０と水槽５３０の内部の残留水分による汚染を防止することができる。
【００８２】
図３を参照して暖房モードについて説明する。
【００８３】
暖房モードが稼動されると、第１熱供給部１５０と第１送風機１６０がオン（Ｏｎ）になる。この場合、ロータ部材３００は回転しないように構成され得る。前記流路転換部４００は加湿モードと同様に第１流入口４１０と第１排出口４３０が連結され、第２流入口４２０と第２排出口４４０が連結されるように、方向転換ゲート４５０は第１位置に設定される。
【００８４】
前記第１熱供給部１５０で室内空気の加熱のために温水供給バルブ１５１が開放され、温水供給管１５２と温水供給バルブ１５１を通じて供給された温水は第１熱供給部１５０で第１空気流路１１０を流動する室内空気と熱交換が行われる。
【００８５】
前記第１熱供給部１５０での加熱によって温度が高くなった室内空気は、第１空気流路１１０の出口部１１０ｃを経て室内に排出されることによって室内を暖房する。
【００８６】
図４を参照して空気清浄モードについて説明する。
【００８７】
空気清浄モード時には第１送風機１６０がオン（Ｏｎ）となり、流路転換部４００の方向転換ゲート４５０が暖房モードと同様に第１位置に設定される。この場合、ロータ部材３００は回転しないように構成され得る。
【００８８】
前記第１送風機１６０の稼動により第１空気流路１１０の入口部１１０ａを通じて流入した室内空気は、フリーフィルタ１２０で粒子が大きい異物の１次濾過がなされ、機能性フィルタ１３０でアレルギーなどの有害要素が除去された後、ＨＥＰＡフィルタ１４０で微粒子が除去される。
【００８９】
前記ＨＥＰＡフィルタ１４０を通過した室内空気は第１領域３１０を通過した後、第１空気流路１１０の出口部１１０ｃを通じて室内に排出されることによって室内空気の清浄作用がなされる。
【００９０】
図５を参照して除湿モードについて説明する。
【００９１】
除湿モードが稼動されると、第１送風機１６０と第２送風機２６０と第２熱供給部２５０がオン（Ｏｎ）となり、ロータ部材３００は回転する。この場合、流路転換部４００の方向転換ゲート４５０は加湿モードと同様に第１位置に設定される。
【００９２】
第１送風機１６０が稼動されると、第１空気流路１１０に流入した室内空気は、複数のフィルタ１２０、１３０、１４０を経てロータ部材３００の第１領域３１０を通過して室内空気に含まれた水分が第１領域３１０の吸着材に吸着される。前記第１領域３１０で水分が除去された室内空気は第１空気流路１１０の出口部１１０ｃを通じて室内に排出される。
【００９３】
第２送風機２６０が稼動されると、第２空気流路２１０の入口部２１０ａを通じて流入した室外空気は、フリーフィルタ２２０、ミディアムフィルタ２３０、第２流入口４２０、第２排出口４４０を順次経た後、第２熱供給部２５０に流動する。
【００９４】
前記第２熱供給部２５０で室外空気の加熱のために温水供給バルブ２５１が開放され、温水供給管１５２と温水供給バルブ２５１を通じて供給された温水は第２熱供給部２５０で第２空気流路２１０を流動する室外空気と熱交換が行われる。
【００９５】
前記第２熱供給部２５０を通過しながら加熱された室外空気は、ロータ部材３００の第２領域３２０を通過する。前記第１領域３１０で室内空気の水分を吸着したロータ部材３００の吸着材が回転して第２領域３２０に位置すると、第２領域３２０を通過する加熱された室外空気によって吸着材の水分が蒸発し、室外空気は湿った空気状態になって第２空気流路２１０の出口部２１０ｃを通じて室外に排出される。
【００９６】
このような過程によって室内空気の除湿がなされ、快適な室内環境を維持することができる。
【００９７】
図６を参照して換気モードについて説明する。
【００９８】
換気モードが稼動されると、第１送風機１６０と第２送風機２６０が稼動される。この場合、流路転換部４００の方向転換ゲート４５０は、第１流入口４１０と第２排出口４４０が連結され、第２流入口４２０と第２排出口４４０が連結されて第２位置となるように設定される。
【００９９】
前記第２送風機２６０の稼動によって第１空気流路１１０の入口部１１０ａに吸入された室内空気は、フリーフィルタ１２０、流路転換部４００の第１流入口４１０と第２排出口４４０を経てロータ部材３００の第２領域３２０を通過した後、第２空気流路２１０の出口部２１０ｃを通じて室外に排出される。
【０１００】
これと同時に前記第１送風機１６０の稼動によって第２空気流路２１０の入口部２１０ａに吸入された室外空気は、フリーフィルタ２２０、ミディアムフィルタ２３０、流路転換部４００の第２流入口４２０と第１排出口４３０、機能性フィルタ１３０、ＨＥＰＡフィルタ１４０を順次経てロータ部材３００の第１領域３１０を通過した後、第１空気流路１１０の出口部１１０ｃを通じて室内に排出される。
【０１０１】
このような過程によって室内空気は室外に排出され、室外空気は複数のフィルタ２２０、２３０、１３０、１４０を経て室内に流入することによって室内空気の換気がなされる。
【０１０２】
前記のように流路転換部４００で流路転換がなされるように構成すると、換気モード時、室外空気は第２空気流路２１０に備えられたフリーフィルタ２２０とミディアムフィルタ２３０で濾過された後、第１空気流路１１０に備えられた機能性フィルタ１３０とＨＥＰＡフィルタ１４０でも濾過され、すなわち第１空気流路１１０と第２空気流路２１０に備えられた多くのフィルタ２２０、２３０、１３０、１４０を経ながら濾過された後に室内に流入するため、きれいな空気を室内に供給することができる。
【０１０３】
また、機能性フィルタ１３０とＨＥＰＡフィルタ１４０は、加湿モード、暖房モード、空気清浄モード、除湿モード時に第１空気流路１１０の入口部１１０ａを通じて流入した室内空気を濾過できるだけでなく、換気モード時に第２空気流路２１０の入口部２１０ａを通じて流入した室外空気も濾過するため、室内空気と室外空気を濾過するためのフィルタをそれぞれ別途具備する必要がない。
【０１０４】
前記のような構成によると、室内空気と室外空気の流路１１０、２１０が交差する地点に流路転換部４００を具備することによって、簡単な構造によって湿度の調節と暖房と空気清浄および換気モードをすべて実現することができる。
【０１０５】
前記では流路転換部４００をダンパーで構成して流路転換だけがなされるように構成した実施例を例示したが、以下図７〜図８を参照して流路転換部６００で流路転換だけでなく全熱交換もなされるように構成した実施例について説明する。
【０１０６】
本実施例は流路転換部４００を全熱交換が行われる流路転換部６００に代替したことを除いては、前述した構成が同様に備えられている。
【０１０７】
前記流路転換部６００は、第１空気流路１１０が入口部１１０ａに連結されて室内空気が流入する第１流入口６１０、前記第１流入口６１０に連通する第１空間部６０１、第２空気流路２１０の入口部２１０ａに連結されて室外空気が流入する第２流入口６２０、前記第２流入口６２０に連通する第２空間部６０２、前記第１空気流路１１０の中間部１１０ｂに連通し、前記第２空間部６０２と対角方向に対向するように位置する第３空間部６０３、前記第２空気流路２１０の中間部２１０ｂに連通し、前記第１空間部６０１と対角方向に対向するように位置する第４空間部６０４、前記第１〜第４空間部６０１、６０２、６０３、６０４で囲まれて室内空気と室外空気間に熱交換が行われるようにする全熱交換器６６０で構成される。
【０１０８】
前記第１〜第４空間部６０１、６０２、６０３、６０４は、隔壁６９１、６９２、６９３、６９４により空間的に互いに分離されている。
【０１０９】
図７を参照する。前記第１〜第４空間部６０１、６０２、６０３、６０４の一側面を形成するカバープレート６５０には、第１〜第４空間部６０１、６０２、６０３、６０４に対応する位置に第１〜第４連通孔６１１、６１２、６１３、６１４がそれぞれ形成されている。
【０１１０】
前記第１連通孔６１１を通じて第１空間部６０１と第１空気流路１１０の中間部１１０ｂが互いに連通し、第３連通孔６１３を通じて第３空間部６０３と第１空気流路１１０の中間部１１０ｂが互いに連通する。
【０１１１】
前記第２連通孔６１２を通じて第２空間部６０２と第２空気流路２１０の中間部２１０ｂが互いに連通し、第４連通孔６１４を通じて第４空間部６０４と第２空気流路２１０の中間部２１０ｂが互いに連通する。
【０１１２】
前記第１空間部６０１には第１ダンパー６７１が備えられている。前記第１ダンパー６７１は、第１空間部６０１の空気が全熱交換器６６０と第１空気流路１１０の中間部１１０ｂのうちいずれか一方向に流動することを許容したり遮断するためのものである。
【０１１３】
前記第２空間部６０２には第２ダンパー６７２が備えられている。前記第２ダンパー６７２は、第２空間部６０２の空気が全熱交換器６６０と第２空気流路２１０の中間部２１０ｂのうちいずれか一方向に流動することを許容したり遮断するためのものである。
【０１１４】
換気モードが稼動されると、図７（ｂ）に示された通り、第１ダンパー６７１がヒンジ６８１を回転中心として回転することによって実線で表示された水平方向に位置して第１連通孔６１１を遮断し、図７（ｃ）に示された通り、第２ダンパー６７２がヒンジ６８２を回転中心として回転することによって実線で表示された水平方向に位置して第２連通孔６１２を遮断する。
【０１１５】
この状態で第１送風機１６０と第２送風機２６０を稼動させると、図７（ｂ）に示された通り、室内空気は第１空気流路１１０の入口部１１０ａと第１流入口６１０を通じて第１空間部６０１に流入し、第１空間部６０１に流入した室内空気は全熱交換器６６０を通過した後、第４空間部６０４、第２空気流路２１０の中間部２１０ｂ、第２領域３２０を順次経て第２空気流路２１０の出口部２１０ｃを通じて室外に排出される。
【０１１６】
また、図７（ｃ）に示された通り、室外空気は第２空気流路２１０の入口部２１０ａと第２流入口６２０を通じて第２空間部６０２に流入し、第２空間部６０２に流入した室外空気は全熱交換器６６０を通過して前記全熱交換器６６０を通過する室内空気と熱交換が行われた後、第３空間部６０３、第１空気流路１１０の中間部１１０ｂ、第１領域３１０を順次経て第１空気流路１１０の出口部１１０ｃを通じて室内に排出される。
【０１１７】
このような過程によって室内空気の換気がなされ、換気と同時に室内空気と室外空気間に全熱交換が行われるので、エネルギー消耗を減らすことができる。
【０１１８】
前記した換気モードを除いた残りの加湿モード、暖房モード、空気清浄モード、除湿モード時流路転換部６００の動作を図８を参照して説明する。
【０１１９】
この場合、第１ダンパー６７１は図７（ｂ）と同様にヒンジ６８１を回転中心として回転することによって点線で示された垂直方向に位置して第１空間部６０１の空気が全熱交換器６６０方向に流動するのを遮断し、第２ダンパー６７２は図７（ｂ）と同様にヒンジ６８２を回転中心として回転することによって点線で示された垂直方向に位置して第２空間部６０２の空気が全熱交換器６６０方向に流動するのを遮断する。
【０１２０】
この状態で第１送風機１６０と第２送風機２６０を稼動させると、図８（ｂ）に示された通り、第１空間部６０１に流入した室内空気は第１連通孔６１１、第１空気流路１１０の中間部１１０ｂ、第１領域３１０、第１空気流路１１０の出口部１１０ｃを順次経た後、室内に排出される。
【０１２１】
また、図８（ｃ）に示された通り、第２空間部６０２に流入した室外空気は第２連通孔６１２、第２空気流路２１０の中間部２１０ｂ、第２領域３２０を順次経て第２空気流路２１０の出口部２１０ｃを通じて室外に排出される。
【０１２２】
したがって、この場合には室内空気と室外空気が全熱交換器６６０を通過しない。
【０１２３】
図７と図８に示された流路転換部６００を具備すると、室内空気と室外空気の流動方向を簡単な構造によって転換できると共に、必要な場合、室内空気と室外空気間に全熱交換が行われるようにすることができるため、空気調和機を多様なモードで運転することが可能である。
【０１２４】
前記流路転換部６００では、第１ダンパー６７１を第１連通孔６１１方向と全熱交換器６６０方向のうちいずれか一方向を択一的に開閉する構成にして例示したが、第１連通孔６１１を開閉するダンパーと第１空間部６０１から全熱交換器６６０への流動を開閉するダンパーを別途に構成することも可能である。
これと同様に一つの第２ダンパー６７１の代わりに２個のダンパーで第２連通孔６１２と全熱交換器６６０への流動をそれぞれ開閉するように構成することもできる。
【０１２５】
前記した実施例では水分供給部５００がロータ部材３００の吸着材に水分を供給するように構成したが、図９で図示された実施例では室内空気流路に水分供給部５００−１が備えられている。
【０１２６】
図９を参照する。室内空気流路である第１空気流路１１０上に水分供給部５００−１が備えられている点で前述した実施例と差があり、残りの構成は同じである。
【０１２７】
前記水分供給部５００−１は第１空気流路１１０の出口部１１０ｃを通じて室内に排出される空気に水分を供給する。
前記水分供給部５００−１は、前記第１空気流路１１０の出口部１１０ｃを通過する空気に水分を供給する加湿フィルタ５２０−１と、前記加湿フィルタ５２０−１に水分が吸着するように水分を供給する水分供給手段として、前記加湿フィルタ５２０−１の下端の一部を浸漬させるための水が貯蔵される水槽５３０−１と、前記水槽５３０−１に水を供給するために給水管５７０−１に備えられた給水バルブ５５０−１と、前記水槽５３０−１の水を外部に排水するために排水管５８０−１に備えられた排水バルブ５６０−１で形成されている。
【０１２８】
このように加湿フィルタ５２０−１を第１空気流路１１０の出口部１１０ｃ上に位置させ、第１送風機１６０の稼動によって加湿がなされるようにすると、前述した各実施例のように、別途の加湿空気流路５４０と第３送風機５１０を具備する必要がなく、ロータ部材３００にも第３領域３３０を構成する必要がないため、製品の構成が簡単になる。
【０１２９】
本実施例では、加湿フィルタ５２０−１の一部が水に浸漬されるものを例示したが、加湿フィルタ５２０−１に水を噴射するための噴射手段を具備し、前記噴射手段から噴射した水が加湿フィルタ５２０−１を濡らすように構成してもよい。この場合、給水管５７０−１の端部には噴射手段としてノズルが備えられ得る。
【０１３０】
図９に示された空気調和機においても、加湿モード、暖房モード、空気清浄モード、除湿モード、換気モードの作動が可能である。このような各モードの動作は前述した実施例の内容に基づいて通常の技術者であれば理解できるはずであるため、詳細な説明は省略する。
【０１３１】
以上説明した通り、本発明は前述した実施例に限定されず、特許請求の範囲で請求される本発明の技術的思想から逸脱することなく当該発明が属する技術分野で通常の知識を有する者によって自明な変形実施が可能であり、このような変形実施は本発明の範囲に属する。
【符号の説明】
【０１３２】
１１０  第１空気流路
１２０  フリーフィルタ
１３０  機能性フィルタ
１４０  ＨＥＰＡフィルタ
１５０  第１熱供給部
１６０  第１送風機
２１０  第２空気流路
２２０  フリーフィルタ
２３０  ミディアムフィルタ
２５０  第２熱供給部
２６０  第２送風機
３００  ロータ部材
３１０  第１領域
３２０  第２領域
３３０  第３領域
４００、６００  流路転換部
４１０  第１流入口
４２０  第２流入口
４３０  第１排出口
４４０  第２排出口
４５０  方向転換ゲート
５００、５００−１  水分供給部
５１０  第３送風機
５２０、５２０−１  加湿フィルタ
５３０、５３０−１  水槽
５４０  加湿空気流路
５５０、５５０−１  給水バルブ
５６０、５６０−１  排水バルブ
５７０、５７０−１  給水管
５８０、５８０−１  排水管
６０１  第１空間部
６０２  第２空間部
６０３  第３空間部
６０４  第４空間部
６１０  第１流入口
６１１  第１連通孔
６１２  第２連通孔
６１３  第３連通孔
６１４  第４連通孔
６２０  第２流入口
６５０  カバープレート
６６０  全熱交換器
６９１、６９２、６９３、６９４  隔壁
【図１】
2019508656.tif 000003
【図２】
2019508656.tif 000004
【図３】
2019508656.tif 000005
【図４】
2019508656.tif 000006
【図５】
2019508656.tif 000007
【図６】
2019508656.tif 000008
【図７】
2019508656.tif 000009
【図８】
2019508656.tif 000010
【図９】
2019508656.tif 000011
【国際調査報告】
2019508656.tif 000012
2019508656.tif 000013
2019508656.tif 000014
2019508656.tif 000015